(57)【要約】  信号を受信するものより広い指向性パスで信号をブロードキャストするリモコンである。動作中に、まず、リモコンは特定の制御可能装置に向けられる。ユーザ入力に応じて、リモコン装置は、ブロードキャスト範囲内の制御可能装置からの識別信号の送信を求める起動信号をブロードキャストする。リモコン装置は特定の制御可能装置の識別信号の受信を待機する。リモコンは比較的狭い指向性パスのみで信号を受信するため、ブロードキャスト範囲内に１つより多い装置が存在し得る場合でも、リモコンは、リモコンが向けられた特定の制御可能装置のみから識別信号を受信する。特定の装置の識別信号が受信された後に、リモコンは特定の装置に制御信号を送信してもよい。制御信号は、受信した識別信号から少なくとも部分的に決定される。
2007507963.tif 000002
【特許請求の範囲】
【請求項１】
制御可能装置を遠隔で制御する方法であって：
制御可能装置からの識別信号の送信を求める起動信号をブロードキャストする動作と；
前記ブロードキャストされる起動信号より狭い指向性パスで前記識別信号を受信する動作と；
前記制御可能装置に制御信号をブロードキャストする動作と；
を有し、
前記制御信号は、前記受信される識別信号から少なくとも部分的に決定される方法。
【請求項２】
請求項１に記載の方法であって、
前記制御信号は、前記受信される識別信号の一部を有する方法。
【請求項３】
請求項１に記載の方法であって、
前記受信される識別信号を分析し、前記制御可能装置にとって適切な制御信号を決定する動作を更に有し、
前記ブロードキャストされる制御信号は前記適切な制御信号である方法。
【請求項４】
請求項１に記載の方法であって、
前記ブロードキャストされる起動信号は、第１のユーザ入力に応じてブロードキャストされ、
前記制御信号は、第２のユーザ入力に応じてブロードキャストされる方法。
【請求項５】
請求項１に記載の方法であって、
前記ブロードキャストされる起動信号及び前記制御信号は、単一のユーザ入力に応じてブロードキャストされる方法。
【請求項６】
請求項１に記載の方法であって、
前記起動信号をブロードキャストする前に、特定の制御可能装置の方向にリモコン装置を位置合わせし、それによって、前記受信される識別信号が前記特定の制御可能装置のみから受信される動作を更に有する方法。
【請求項７】
請求項１に記載の方法であって、
複数の制御可能装置に前記起動信号をブロードキャストする動作を更に有し、
前記複数の制御可能装置のそれぞれは、前記複数の制御可能装置について相互に位置的に離れており、
前記受信される識別情報の狭いパスは、対応する複数の制御可能装置によって送信された複数の識別信号のうち１つのみが受信されるほど十分に狭い方法。
【請求項８】
信号をブロードキャストするように構成され、前記ブロードキャストされる信号より狭い指向性パスで信号を受信するように構成された送受信装置と；
前記送受信装置に結合されたユーザ入力と；
を有するリモコン装置であって：
前記送受信装置は、前記ユーザ入力の起動に応じて起動信号をブロードキャストするように構成され、制御可能装置から識別信号を受信するように構成され、前記受信される識別情報から少なくとも部分的に決定される制御信号をブロードキャストするように構成されるリモコン装置。
【請求項９】
請求項８に記載のリモコン装置であって、
前記送受信装置は、複数の制御可能装置について相互に位置的にそれぞれ離れた複数の制御可能装置のうち１つの方向に位置合わせされるように構成され、
前記受信される識別情報の狭い指向性パスは、前記複数の制御可能装置のうち１つの識別信号のみが受信されるほど十分に狭いリモコン装置。
【請求項１０】
請求項８に記載のリモコン装置であって、
前記送受信装置は、赤外線スペクトル内で信号を送信及び受信するように構成されるリモコン装置。
【発明の詳細な説明】
【技術分野】
【０００１】
本発明は、概して制御可能な特性を有する他の装置を制御する方法及び装置に関し、特に複数の装置のうち１つを選択的に制御する方法及びリモコン装置に関する。
【背景技術】
【０００２】
１つ以上の制御可能装置を制御できる従来のリモコン装置が知られている。例えば、テレビは、チャンネル、音量、メニュー機能等を含む制御可能な特性を制御するリモコンをしばしば有する。ビデオカセットレコーダもまた、記録時間、記録チャンネル等を含む同様の機能等を制御するリモコンを有することがある。扇風機、照明、エアコン等ですら、リモコンを有することがあるが、これらの遠隔制御可能装置の全てが存在すると、家庭で必要なかなりの数のリモコンが存在することになるという問題が生じる。ユーザが特定の装置を制御しようとすると、その装置のリモコンを見つけて操作しなければならない。
【０００３】
これらの制御可能装置の製造者は、複数の装置を制御することができる単一のリモコンを有することが望ましい場合があると長い間に認識してきている。複数の装置を制御することができるリモコンは、複数の方法でこのタスクを実現する。１つの形式の既知のリモコンは、複数の制御可能装置の制御情報を永久的に格納している。この装置を使用しようとするユーザは、まず、ユーザが制御しようとする装置毎の識別コードを、コードを特定するテーブルで調べなければならない。これらのコードは、初期設定期間中にリモコンに提供され、格納される。その後、ユーザが特定の制御可能装置を制御しようとすると、まずリモコンで装置選択が行われなければならない。一般的にこの装置選択は、セレクタスイッチのスライドでもよく、所定の装置を特定するキーの押下でもよい（テレビを制御するためにリモコンを使用するためのキー表示TVの押下等）。所望の制御可能装置がリモコンに特定された後にのみ、ユーザは所望の制御可能装置を制御し得る。その他の形式のリモコン装置は、制御可能装置の特有のコマンドを学習するために、学習期間を必要とする。いずれの場合においても、制御可能装置を制御するためにリモコンを使用する前に、まず、ユーザは、ユーザが制御しようとする制御可能装置を手動で選択しなければならない。
【０００４】
制御可能装置を制御することが可能になる前のリモコンへの制御可能装置のこの特定は、ユーザにとって厄介なステップである。ある場合には、所定の空間に１より多くの所定の形式の制御可能装置が存在することがある。ユーザが制御可能装置のうち特定のものを制御可能にするために、それぞれが一意に特定され、リモコンの選択入力によって別々に選択可能になる必要がある。このことは、良くてもユーザの更なる混乱にも導き、従来の既知のリモコンでは実行可能ではない可能性がある。
【０００５】
この特許出願と同じ出願人に譲渡された米国特許第5,554,979号（’979特許）は、制御可能装置の特性を制御する代替方法を使用する。’979特許は、その全ての内容が参照として取り込まれる。’979特許は、特定の制御可能装置の方向にリモコン装置を向けることにより、特定の制御可能装置の制御が実現されるように、狭い指向性パスで制御信号を送信するリモコン装置を利用する。複数の制御機能を実行するために、制御可能装置毎に複数の受信機が記載されており、各受信機は制御信号を受信することにより異なる制御を実行するように構成される。このシステムは、制御可能装置毎に複数の受信機が必要になるという点で非常に面倒である。また、リモコン装置により送信される制御信号は、特定の制御可能装置を特定する識別情報を有さないため、リモコン装置は、制御を実行するために、制御可能装置の方向に向けられ続けなければならない。リモコン装置が制御動作中に所望の制御可能装置に不適切に位置合わせされている場合、所望の制御可能装置は制御されない。更に、他の制御可能装置による何らかの誤った受信信号は、不適切な制御可能装置の制御機能を不適切に起動し得る。
【発明の開示】
【発明が解決しようとする課題】
【０００６】
従って、従来技術の１つ以上の欠点を克服することが、本発明の目的である。
【課題を解決するための手段】
【０００７】
制御可能装置を制御するシステム及び方法が開示される。システムのリモコンは、送受信装置とユーザ入力とを有する。システムの制御可能装置も送受信装置を有し、相互に位置的に離れている。リモコンの送受信装置は、信号を受信したものより広い指向性パスで信号をブロードキャストする。
【０００８】
動作中に、リモコンは特定の制御可能装置に向けられる。ユーザ入力に応じて、リモコン装置の送受信装置は、ブロードキャスト範囲内の制御可能装置からの識別信号の送信を求める起動信号をブロードキャストする。ブロードキャスト範囲内の各制御可能装置は、起動信号に応じて対応の識別情報を送信する。リモコン装置は特定の制御可能装置の識別信号の受信を待機する。リモコンは比較的狭い指向性パスのみで信号を受信するため、リモコンは、リモコンが向けられた特定の制御可能装置のみから識別信号を受信する。その範囲に１つより多い制御可能装置が存在し得る場合でも、このことは当てはまる。
【０００９】
特定の制御可能装置の識別信号が受信された後に、リモコンは、特定の制御可能装置に制御信号を送信し、特定の制御可能装置の特性を調整してもよい。制御信号は、受信した識別信号から少なくとも部分的に決定される。このように、制御信号が起動されたときにリモコン装置が特定の制御可能装置に位置合わせされていない場合でも、特定された特定の制御可能装置のみが制御される。
【発明を実施するための最良の形態】
【００１０】
本発明の前記及び他の特徴及び利点は、添付図面及び以下の説明から明らかになる。
【００１１】
以下は、以下の図面と共に検討されると、前記の特徴及び利点並びに更なるものを示す本発明の例示的な実施例の説明である。図面は例示目的で含まれており、本発明の範囲を表さないことが明らかにわかる。図面において、システムの同じ部分は同じ番号で示されている。
【００１２】
本発明は、添付図面と併せて最もよく理解される。
【００１３】
図１は、リモコン装置110と制御可能装置120、130、140とを含む本発明の実施例によるシステム100の例示的な実施例を示している。本発明によれば、制御可能装置120、130、140のそれぞれは、各制御可能装置120、130、140に動作可能に結合されたそれぞれ受信装置122、132、142と、送信装置124、134、144とを有する。受信装置122、132、142は、当該技術分野において既知のように受信機であると考えられてもよい。受信装置は、制御可能装置120、130、140毎に所定の信号を受信する。更に、送信装置124、134、144は、当該技術分野において既知のように送信機であると考えられてもよい。送信装置は、各制御可能装置120、130、140に特有の所定の信号を送信する。
【００１４】
本発明によれば、制御可能装置は、動作可能に結合されたそれぞれの受信装置及び送信装置を有する。動作可能に結合された及び結合されたという用語は、制御可能装置が各受信装置を用いて制御信号（起動信号、調整信号等）を受信し得ることを意味することを意図する。制御信号を受信するときに、制御可能装置は、受信した制御信号の形式に従って反応する。各制御可能装置の送信装置は、以下に詳細に説明するように、適当なときに識別信号を少なくとも送信する。
【００１５】
同様に、リモコン装置の送信装置及び受信装置は、リモコン装置内で動作可能に結合されている。リモコン装置は、各受信装置を用いて制御可能装置から識別信号を受信してもよい。各リモコンの送信装置は、適当なときに起動信号と制御信号とを少なくとも送信する。
【００１６】
当業者に容易に明らかになるように、リモコン及び制御可能装置内の特定の結合は、特許請求の範囲の限定として特に記載されていない限り、必ずしも本発明を制限することを意図しているのではない。多数の形式の結合が当業者に容易に明らかになる。例えば、結合は物理結合（電気配線、光ファイバ結合等）でもよい。結合はまた、無線結合でもよく、各装置がここに含まれる説明に従って動作可能である限り、リモコン装置及び制御可能装置内で通信を可能にするその他の結合でもよい。
【００１７】
実際に、受信装置は制御可能装置内で無線結合されている一方で、送信装置は電気配線を介して結合されているように、制御可能装置／リモコン装置並びに各受信装置及び送信装置内の結合は、装置によって異なってもよい。更に、システムの所定の制御可能装置／リモコン装置内の結合は、その他のシステムの所定の制御可能装置／リモコン装置と異なってもよい。この実施例又は他の実施例では、代替として、受信装置及び送信装置は制御可能装置／リモコン装置と直接統合されてもよい。
【００１８】
図１は、例示的な制御可能装置（この場合は制御可能装置120）の更なる詳細を示している。例示的に、制御可能装置120は、各結合127、125を介して受信装置及び送信装置122、124に結合された制御部126を有する。制御部126は、制御要素128（光学素子等）に結合されて更に図示されている。例示的に制御部126は、本発明に従って動作するハードウェア部及びソフトウェア部の一方又は双方を有するプロセッサ型回路でもよい。制御部126は、結合127を介して受信装置122により受信される信号を受信するように構成（例えばプログラム）される。制御部126はまた、受信装置122から受信した信号に応じて、制御要素128を制御するように構成される。更に、制御部126は、本発明に従って動作するときに送信装置124に信号を送信させるように構成される。
【００１９】
また明らかなように、例えば、制御可能装置120は、例示的にランプとして図示されている。オーディオ装置、ビデオ装置、温度調節装置、カーテン、ガレージのドア、台所の装置、洗濯機、例えば生産ラインの機械／ロボット、医療用装置、スタジアムの照明及び音声、街路灯、ビデオプロジェクタ、おもちゃ、店のCE装置を含み、調整可能な特性を有する如何なる装置も遠隔で制御されてもよいことが明らかである。また、当然のことながら、その他の多くのものも本発明の範囲内で動作され得る。
【００２０】
一例として、照明制御可能装置では、制御信号は、光学素子にオン、オフ、輝度調整等を行わせてもよい。オーディオ／ビジュアル制御可能装置では、制御信号は、同調素子に代替信号源に同調させてもよく、音量制御装置に音量を増加又は減少させてもよく、オーディオ／ビジュアル制御可能装置にオン／オフ等を行わせてもよい。実際に、明らかなように、所定の制御可能装置の何らかの特性は、本発明に従って制御されてもよい。従って、これらの種類の装置等のいずれかが、本発明の範囲内にあることがわかる。
【００２１】
図１に更に図示するように、リモコン装置110は、各結合117、115を介して受信装置112及び送信装置114に動作可能に結合された制御部113を有するものとして概略的に図示されている。制御部は、ユーザ起動、選択及び制御を可能にするために、結合119を介してユーザ入力装置111に更に結合されている。例示的に、ユーザ入力装置111は、簡単なプッシュボタン入力、ダイヤル（例えば回転可能）入力、スライダ入力、ジョイスティック等でもよい。実際のリモコン装置は、標準的なマルチメディアリモコンのように、多数のユーザ入力装置を有してもよい。実際に、ユーザ入力装置111として多数の他の形式の入力選択装置が利用されてもよく、実際に本発明の範囲内であることがわかる。
【００２２】
図２Ａは、受信装置112（赤外線受信装置等）と送信装置144（赤外線送信装置等）の正面図を示すリモコン装置110の例示的な正面図を示している。図２Ｂは、受信装置122及び送信装置114の相対位置を示すリモコン装置110の例示的な側面図を示している。図示のように、送信装置は、リモコン装置110の外側部分に向けて（例えばリモコン装置110の正面部に向けて）配置されている。しかし、受信装置112は、リモコン装置110の部分内に配置されている（例示的にリモコン装置110の内部トンネル116として図示されている）。
【００２３】
受信装置112及び送信装置114のこの相対位置により明らかになることは、送信の角度がリモコン装置110の側面で比較的妨げられないため、送信装置114が比較的広い指向性パスで信号（起動信号等）を送信する機能を有するという点である。しかし、この例示的な実施例では、トンネル116の妨げになるパスのため、受信装置112は、比較的狭い指向性パスで信号を受信する機能しか有さない。例えば、一実施例では、送信装置114は実質的に無指向性でもよいが、受信装置112は実質的に単一指向性でもよい。しかし、より小さい角度の送信信号の包含及び受信信号の排除も、明らかに本発明の範囲内である。
【００２４】
例えば、受信装置112が赤外線受信装置である場合、トンネル116内の受信装置112の相対的位置は、リモコン装置110の側面部に向かって配置されたソースから生じた赤外線送信を受信することを妨げる。受信装置112が赤外線受信装置であるこの例示的な実施例では、トンネル116の側壁118は、赤外線吸収塗装（黒色の塗装等）で塗装されてもよい。赤外線吸収塗装は、トンネル116の開口の直接の正面の位置以外からの赤外線送信の受信を更に妨げることに役立つ。
【００２５】
同様の結果は、例えば直接的に受信された（例えば受信装置112の正面で直接に）赤外線送信を受信装置112で焦点を合わせるように構成されたレンズ組立部品を使用し、受信装置112から離れて間接的に受信された赤外線送信を分散することにより、実現されてもよい。本発明によれば、実現されるものは、送信が生じる方向に受信装置112の受信パスが向いているか否かに応じて、送信を受信する又は受信しないように方向で制御され得る受信装置112である。本発明は、必ずしも何らかの形式の送信信号又は受信信号に限定されるものとして解釈されるべきではないが、本発明によれば、受信装置112は、送信装置114より比較的狭い指向性パスで信号を受信する。このように、リモコン装置は、相互に位置的に離れた複数の制御可能装置に信号を潜在的に送信し、複数の制御可能装置のうち１つのみから信号を受信してもよい。同様に、受信装置112の受信パスを狭くする特定の手段は、特に記載されていなければ、必ずしも本発明又は特許請求の範囲における限定として考えられるべきではない。
【００２６】
本発明による実施例では、送信装置114からの送信信号の形式は、受信装置112により受信される信号の形式と異なってもよい。例えば、送信装置114は無線周波数信号を送信し、受信装置は赤外線信号を受信してもよい。前記及び他の実施例の組み合わせも、本発明の範囲内であることを意図する。
【００２７】
本発明の動作について、リモコン装置及び制御可能装置のそれぞれで赤外線送信装置及び受信装置を利用する例示的な実施例を参照して、更に説明する。図７並びに図３、４及び５を参照することで、本発明の例示的な説明が更に容易になる。図７は、本発明の実施例によるシステムの動作を示したフローチャート700を示している。図３、４及び５は、本発明の実施例によるリモコン装置110及び制御可能装置120、130、140の側面図を含むシステムの例示的な実施例を示している。
【００２８】
動作710において、図３に示すように、リモコン装置は、ユーザ装置が制御しようとしている制御可能装置130への指向性パス330に向けられる。ユーザは、（図１に示すように）リモコン装置110でユーザ入力を起動し、各制御可能装置120、130、140のそれぞれに対する広い指向性パス（例えば指向性パス320、330、340）で赤外線送信装置114から送信される起動信号を起動する。
【００２９】
動作720において、起動信号は、所定の範囲内（例えばリモコン装置がある部屋の中）の各制御可能装置120、130、140のそれぞれの各受信装置122、132、142により受信される。起動信号に応じて、各制御可能装置120、130、140は、図４に示すように、送信装置124、134、144を介して対応の識別信号を送信する。それぞれの対応の識別信号は、他の制御可能装置から制御可能装置を特定するのに十分な識別情報を含む。一例として、制御可能装置130から送信される識別情報は、制御可能装置120、140から制御可能装置130を特定するのに十分である。
【００３０】
制御可能装置120からの識別信号は、リモコン装置110へのパス420に沿って少なくとも送信される。制御可能装置130からの識別信号は、リモコン装置110へのパス430に沿って少なくとも送信される。制御可能装置140からの識別信号は、リモコン装置110へのパス440に沿って少なくとも送信される。
【００３１】
しかし、図示のように、パス420、440は、リモコン装置110が向けている方向に位置合わせされていないという点で、間接的なパスである。従って、リモコン装置110の受信装置112は、各パス420、440に沿って進む制御可能装置120、140からの識別信号を受信しない。図示の実施例では、トンネル116の露出面118の吸収物質は、例示的に赤外線信号として記載している識別信号を吸収してもよい。しかし、パス430は、リモコン装置110が向けている方向に位置合わせされているという点で、直接的なパスである。従って、リモコン装置110の受信装置112は、制御可能装置130からの識別信号を受信してもよい。
【００３２】
動作740において、制御可能装置130の識別信号が受信され、一実施例では、リモコン装置110の制御部113によって任意選択で検査される。この実施例では、受信した識別信号は、何の制御可能装置が受信した識別信号に対応するかを決定するために検査される。このように、動作750の間及び図５に示すように、制御部113は、その後、特定された制御可能装置130に特有の制御信号を送信装置114に送信させてもよい。これらの信号は、制御可能装置120、130、140のそれぞれにより受信されてもよいが、信号が制御可能装置130に固有であるため、制御可能装置130のみが制御される。
【００３３】
所定の制御信号を特定の制御可能装置に一意にする多数の既知の方法が存在する。例えば、送信される制御信号の形式が所定の制御可能装置に固有になってもよい。この実施例では、制御部113は、何の制御信号が複数の制御可能装置のそれぞれに適しているかについての情報を含んでもよい。特定の制御可能装置が特定されると、リモコン110により送信される制御信号は、その形式の制御可能装置に特有の信号でもよい。例えば、受信された識別信号がテレビからのものである場合、その後、リモコン110からの制御信号は、テレビ用の固有の制御信号でもよい。
【００３４】
他の実施例では、制御信号自体が、制御可能装置から受信した識別情報の一部を少なくとも有してもよい。この実施例では、制御信号が受信した識別情報の何らかの部分を含むという点を除いて、リモコン装置により送信される制御信号は、複数の装置（例えば複数のランプ）について類似してもよい。容易にわかるように、何らかの所定のシステムは、制御可能装置を特定することについて知られているこれらのシステム又は他のシステムの組み合わせを有してもよい。いずれにしても、所望の制御可能装置が特定されると、その後は、ユーザが他の制御可能装置について更なる起動／識別シーケンスを起動するまで、送信される制御信号はその制御可能装置のみを制御する。有利には、このことは、特定された制御可能装置のみが制御信号により制御されていることを生じる。従って、制御可能装置が特定されると、リモコンはランダムな方向に向けられ、特定された制御可能装置を依然として制御することができる。
【００３５】
実施例において、リモコン装置からの制御信号は、特定の制御可能装置の識別後に更なるユーザ入力を必要としてもよい。この場合には、まず、ユーザは起動／識別シーケンスを起動する。その後、ユーザは、特定の制御信号を起動し、制御可能装置の特性を変化させる。
【００３６】
前記及び他の実施例では、リモコン装置は、更なるユーザ入力なしに、制御可能装置の識別後に前記又は他の制御信号を直接送信してもよい。このシーケンスでは、ユーザは起動／識別シーケンスを起動する。リモコン装置が制御可能装置を特定すると、更なるユーザ入力なしに、更なる制御信号が制御可能装置に送信されてもよい。例えばランプの制御可能装置では、この形式のシーケンスは適切なことがある。この場合、特定のランプの制御可能装置が特定された直後に、所望の（又は選択された）状態に応じてランプをオン又はオフするために、制御信号がランプに送信される。ある実施例では、リモコン装置からの所望の制御コマンド又は特定の所望の制御コマンドは、ユーザによる更なる入力なしに、ユーザによる特定のコマンドの選択によって起動されてもよく、起動／識別及び制御信号シーケンスを生じてもよい。
【００３７】
図６は、本発明の実施例によるリモコン装置110及び制御可能装置620、630、640、650、660の側面図を含むシステムの例示的な代替実施例を示している。各制御可能装置620、630、640、650、660は、他の制御可能装置に関して前述したように動作するそれぞれの受信装置及び送信装置622、624；632、634；642、644；652、654；及び662、664を有する。各制御可能装置620、630、640、650、660は、本発明に従って別々に制御されてもよい。
【００３８】
当業者は、前記のシステム及び装置を実現する複数の方法が存在することを容易に認識するであろう。従って、前記の実施例は、いずれかの特定の選択肢に限定しないように理解されるべきである。
【００３９】
前記の本発明の実施例は、例示のみの目的を意図しており、いずれかの特定の実施例又は実施例のグループに特許請求の範囲を限定するものとして解釈されるべきではない。特許請求の要旨及び範囲を逸脱することなく、多数の代替実施例が当業者によって考えられ得る。
【００４０】
特許請求の範囲を解釈する際に、以下のことがわかる。
a)“有する”という用語は、所定の請求項に記載されているもの以外の要素又は動作の存在を除外するものではない。
b)単数の要素は、そのような要素の複数の存在を除外するものではない。
c)請求項の如何なる参照符号もその範囲を限定するものではない。
d)複数の“手段”は、同一のアイテム又はハードウェア若しくはソフトウェアで実装された構造又は機能によって表されてもよい。
e)それぞれの開示された要素は、ハードウェア部分（例えば別個の及び統合された電子回路を含む）、ソフトウェア部分（例えばコンピュータプログラム）及びその何らかの組み合わせで構成されてもよい。
f)ハードウェア部分は、アナログ部及びデジタル部の一方又は双方で構成されてもよい。
g)開示された装置又はその部分の如何なるものも、特に記載していない限り、一緒に組み合わされてもよく、更なる部分に分離されてもよい。例えば、送信装置及び受信装置は単一の送受信装置に組み合わされてもよいが、送受信装置という用語を用いることは、必ずしも別々の送信装置及び受信装置を除外することを意図するのではない。
h)特に示さない限り、特定のシーケンスの動作が必要になることを意図しない。
【図面の簡単な説明】
【００４１】
【図１】本発明の実施例による例示的なシステム
【図２Ａ】本発明によるリモコン装置の正面図の実施例
【図２Ｂ】本発明によるリモコン装置の側面図の実施例
【図３】本発明の実施例によるリモコン装置及び制御可能装置の側面図を含む例示的なシステム
【図４】本発明の実施例によるリモコン装置及び制御可能装置の側面図を含むシステムの例示的な動作
【図５】本発明の実施例によるリモコン装置及び制御可能装置の側面図を含むシステムの例示的な動作
【図６】本発明の実施例によるリモコン装置及び制御可能装置の側面図を含むシステムの例示的な代替実施例
【図７】本発明の実施例によるシステムの動作を示したフローチャート
【図１】
2007507963.tif 000003
【図２Ａ】
2007507963.tif 000004
【図２Ｂ】
2007507963.tif 000005
【図３】
2007507963.tif 000006
【図４】
2007507963.tif 000007
【図５】
2007507963.tif 000008
【図６】
2007507963.tif 000009
【国際調査報告】
2007507963.tif 000010
2007507963.tif 000011